(57)【要約】      （修正有）【課題】バランスの良い分量の化粧品を提供することができる容器を得る。【解決手段】支持体２、タンク３及び挿入部４及び塗布用スポンジを備える化粧品の容器１を説明する。前記挿入部４にはタンク３に入った化粧品と接触するキャンバス地４２が設けられている。化粧品は超吸水性ポリマーを併用した化粧品処方品を含んでいる。【選択図】図３
2017060738.tif 000002
【特許請求の範囲】
【請求項１】
支持体（２）、タンク（３）及び挿入部（４）を備える化粧品の容器（１）であって、
前記挿入材（４）は織布、好ましくはキャンバス地（４２）から形成された可撓性網目を備え、貯留槽（３）は超吸水性ポリマーと混合した化粧品処方品を有する化粧品を収容し、前記キャンバス地（４２）は前記化粧品と接触しており、スポンジ（５）を加圧することで前記化粧品を含浸させるのに適していることを特徴とする容器（１）。
【請求項２】
キャンバス地（４２）が、ポリアミド又はポリエステル又はエラスタン又はこれらの混合物で構成されている請求項１に記載の容器（１）。
【請求項３】
キャンバス地（４２）が、６０％のエラスタン及び４０％のポリアミドを含む混合物で構成されている請求項１又は２に記載の容器（１）。
【請求項４】
キャンバス地（４２）が、２６％のエラスタン及び７４％のポリアミドを含む混合物で構成されている請求項１〜３のいずれか１項に記載の容器（１）。
【請求項５】
超吸水性ポリマーが、ポリアクリル酸ナトリウムの塩若しくはアクリル系ポリマー（ホモポリマー又は共重合体）でグラフトしたデンプン、又はアクリル系ポリマーでグラフトした加水分解デンプン類の中からは特にアクリレート共重合体のアクリロ−アクリルアミド／ナトリウム、又はデンプン系ゴムのポリマー類の中からは、若しくはセルロース誘導体の中からは、デンプン、グアーガム及びカルボキシメチルセルロースナトリウムを含む生成物、から選択される請求項１に記載の容器（１）。
【請求項６】
超吸水性ポリマーが、架橋ポリアクリル酸ナトリウム類、好ましくは乾燥状態又は無水状態で平均寸法（又は平均粒径）が１００ミクロン以上である粒子の形態の架橋ポリアクリル酸ナトリウム類から選択される請求項５に記載の容器（１）。
【請求項７】
超吸水性ポリマーが、架橋ポリアクリル酸ナトリウム類、好ましくは乾燥状態又は無水状態で平均寸法（又は平均粒径）が１５０〜１０００μｍである粒子の形態の架橋ポリアクリル酸ナトリウム類から選択される請求項５又は６に記載の容器（１）。
【請求項８】
超吸水性ポリマーが、架橋ポリアクリル酸ナトリウム類、好ましくは乾燥状態又は水和していない状態で平均寸法（又は平均粒径）が１５０〜８５０μｍである粒子の形態の架橋ポリアクリル酸ナトリウム類から選択される請求項５〜７に記載の容器（１）。
【請求項９】
超吸水性ポリマーが、架橋ポリアクリル酸ナトリウム類、好ましくは球状粒子の形態の架橋ポリアクリル酸ナトリウム類から選択される請求項５〜８のいずれか１項に記載の容器（１）。
【請求項１０】
化粧品処方品が、水中油型乳剤（Ｏ／Ｗ）、油中水型乳剤（Ｗ／Ｏ）、水中シリコーン型乳剤（Ｓ／Ａ）若しくはシリコーン中水型乳剤（Ａ／Ｓ）、又は無水処方品、水溶液若しくは懸濁液であることを特徴とする請求項１〜９のいずれか１項に記載の容器（１）。
【請求項１１】
化粧品処方品が、水を０〜８５％の割合で含む請求項１〜１０のいずれか１項に記載の容器（１）。
【請求項１２】
使用する超吸水性ポリマーの割合が、化粧品の総重量に対して、最低で０．０１重量％から最大で２０重量％まで変化する請求項１〜１１のいずれか１項に記載の容器（１）。
【発明の詳細な説明】
【技術分野】
【０００１】
本発明は、超吸水性ポリマーを含む流動性化粧品の容器に関する。
【背景技術】
【０００２】
現代の生活において人々は、１日のうち多くの時間、自宅から離れて過ごしている。仕事、教育又はレジャーの束縛により自宅に長時間不在であった後にようやく帰宅するという人が増加している。自宅から離れても穏やかな１日を過ごせるように全てのことを合わせる必要性があり、それに合わせてより多くの「ライフセーバー」キットを製造し始めている多数の企業の想像力が刺激されている。
【０００３】
化粧品の世界は確かにこれらのニーズから例外になっている訳ではない。ここ数十年で製剤及びポケットコンパクト容器が無数に上市されるようになった。過去、化粧品のコンパクト容器はほぼ、外出先でも塗ることが可能な頬紅、パウダー等のパウダー製品用だけであった。より細密な製品、一般的に流動性調合品では、その製品を外出使用用の容器に入れることは非常に困難になった。
【０００４】
携帯容器において液体化粧品を使用するためにいくつかの試みが為されてきたが、現在まで、特に携帯容器内において液体製品を扱う難しさにより、このことは依然として未解決の問題となっている。
【０００５】
特許文献１は、好ましくはポリウレタンなどの可撓性の合成連続気泡発泡体の蓋の付いた容器内に配置されたスポンジ状の要素を記載している。スポンジ状要素は流動性化粧品を含浸させ、スポンジ状要素の上の圧縮位置に保持された織布又は他の多孔質可撓性要素から成る網目で覆う。
【０００６】
不利なことに、流動性化粧品組成物を含浸させたポリウレタンなどのスポンジ組織を使用することでは、最適量の化粧品を塗布することが可能にならない。このことにより、化粧液を含浸させたスポンジ上に最適ではない圧力を加えると、塗布される製品の量が多すぎてしまう可能性がある。
【０００７】
特許文献２は、特に乳剤の形態の化粧品組成物を含浸させたポリエーテル系ウレタンフォームを含む化粧品を記載している。
【０００８】
特許文献３は、容器内の発泡ポリウレタンフォームに含浸された紫外線を遮断するようになっている組成物を含む化粧品を記載している。そのポリウレタン組成物は発泡セル構造を有する。
【０００９】
不利なことに、記載の化粧品は通常、乳剤として調合され、そして次にウレタンフォーム付の容器内に置かれる。乳剤は経時的に不安定な調合品であり、劣化しやすく、初めに包装容器に封入された製品の特性を失わせるか、又は大幅に変化させる。また、ウレタンフォームは、化粧品を最適に分配及び分注することはできない。
【先行技術文献】
【特許文献】
【００１０】
【特許文献１】欧州特許第０５２８７０５号明細書
【特許文献２】国際公開第２０１２／１２８５８９号パンフレット
【特許文献３】国際公開第２００９／１１６８１７号パンフレット
【発明の概要】
【発明が解決しようとする課題】
【００１１】
本発明の目的は、バランスの良い分量の化粧品を提供することができる容器を得ることである。
【００１２】
別の目的は、収納される製品の特長を経時的に安定維持できる化粧品用容器を得ることである。
【００１３】
更に別の目的は、外出先や水の無い場所でも化粧品を使用することを可能にする化粧品用容器を得ることである。
【００１４】
付加的な目的は、流出のリスク無く化粧品を担持することを可能にする化粧品の包装容器を得ることである。
【００１５】
なおも別の目的は、手を汚すこと無く化粧品を均一に塗布することを可能にする化粧品用容器を得ることである。
【課題を解決するための手段】
【００１６】
上記の目的を達成する本発明の容器は、支持体（２）、タンク（３）及び挿入部（４）を備える化粧品の容器（１）であって、前記挿入材（４）は織布、好ましくはキャンバス地（４２）から形成された可撓性網目を備え、貯留槽（３）は超吸水性ポリマーと混合した化粧品処方品を有する化粧品を収容し、前記キャンバス地（４２）は前記化粧品と接触しており、スポンジ（５）を加圧することで前記化粧品を含浸させるのに適していることを特徴とするものである。
【発明の効果】
【００１７】
本発明により、このような目的は請求項１に記載の容器によって達成できる。
【図面の簡単な説明】
【００１８】
【図１】化粧品用容器の斜視図である。
【図２】化粧品用容器の平面図である。
【図３】図２の切断線ＩＩＩ−ＩＩＩに沿った化粧品用容器の断面図である。
【発明を実施するための形態】
【００１９】
本発明のこれらの特長及び他の特徴を、その実用的な実施形態の以下の詳細な説明からより明らかにしていくものであって、添付図面を参照して非限定的な例により為す。
【００２０】
容器１は、支持体２、タンク３、挿入部４及びスポンジ５を備える。
【００２１】
支持体２の形状は円形であり、基盤２１、及びヒンジ２３によって上述の基盤２１に取り付けられた蓋２２を備える。
【００２２】
支持体２の基盤２１は、透過開口部２４が設けられ、基盤２１と同芯であり、タンク３を収容するようになっている。支持体２の蓋２２は、基盤２１の直径に等しい直径を有するキャップである。蓋２２に設けられた切り欠き２５は、上述の支持体２の基盤２１上に設けられたフック２６と嵌合するようになっている。フック２６及び切り欠き２５は、蓋２２に取り付けられた基盤２１を保持するようになっている。蓋２２は、キャップ内部に固定された鏡２２１を備える。
【００２３】
タンク３は、円形の基盤を有し、円形のカバー３１を有し、タンク３と同じ直径にてヒンジ３４によりタンク３に取り付けられている。カバー３１は、タンク３と接触している部分と反対側にあるカバーの外側部分に配置された縁端３１２を備える。縁端３１２には、閉ヒンジ３４に対して反対側の位置に配置され、カバー３１の持ち上げを容易にする突起３１３が設けられている。
【００２４】
挿入部４は、支持リング４１及び織布、好ましくはキャンバス地４２から成る可撓性網目を備える。上述のキャンバス地４２は、接着剤又は熱溶接により支持リング４１に取り付けられている。挿入部４は、タンク３内に挿入するようになっている。
【００２５】
キャンバス地４２は、ポリアミド、ポリエステル若しくはエラスタン、又はこれらの混合物から成る。好ましくは、キャンバス地４２は５０％のエラスタン及び５０％のポリアミドから成り、好ましくは４０％のエラスタン及び６０％のポリアミドの混合物から成る。
【００２６】
更により好ましくは、キャンバス地４２は、７４％のポリアミド及び２６％のエラスタンの混合物から成り、ＵＮＩ  ＥＮ  ＩＳＯ９０７３−６：２００４の試験方法による吸収能が１〜１００％の範囲であるNastri-Tex社のThecno Light生地から成る。
【００２７】
タンク３は、化粧品処方品及び少なくとも１種の超吸水性ポリマーから成る化粧品を含むようになっている。
【００２８】
本発明において使用される化粧品処方品は、水中油型（Ｏ／Ｗ）乳剤又は油中水型（Ｗ／Ｏ）乳剤又は水中シリコーン型（Ｓ／Ａ）乳剤又はシリコーン中水型（Ａ／Ｓ）乳剤、又は無水処方品若しくは水溶液又は懸濁液である。
【００２９】
化粧品処方品は、化粧品処方品に対して０〜９０重量％、好ましくは０〜８５重量％の水を含む。
【００３０】
上述の化粧品処方品は、化粧品処方品に対して０〜２０重量％の割合でノニオン性、アニオン性、カチオン性又は両イオン性乳化剤を含んでもよい。好ましくは０．１〜１０重量％の乳化剤を含んでもよい。本発明で選択された乳化剤のＨＬＢ（親水性−親油性バランス）は、１〜２０、好ましくは１〜１４である。
【００３１】
化粧品処方品は、全ての天然物から選択された油、炭化水素、エステル、エーテル、天然及び合成トリグリセリド、シリコーン油及びポリマーならびに樹脂を含む。油含有量は、化粧品処方品に対して０．１〜９５重量％、好ましくは０．５〜８５重量％である。
【００３２】
日焼け止めフィルターは、６〜５０＋のＳＰＦ（日焼け防止指数）を有する有機又は無機日焼け止めフィルターなどの化粧品処方品の製剤に使用してもよい。日焼け止めフィルターの割合は、化粧品処方品に対して１〜５０重量％、好ましくは２〜４０重量％である。
【００３３】
化粧品処方品は、二酸化チタン、酸化鉄、漆及び化粧品染料から選択した顔料を更に含む。顔料の割合は、化粧品処方品に対して１〜３５重量％、好ましくは３〜２５重量％含まれる。
【００３４】
シリコーン、アクリル、高分子シリカ、マイカ及び天然タルクの織地化粉末から選択する織地用粉末は、化粧品処方品に対して１〜１５重量％、好ましくは１〜１０重量％の割合で化粧品処方品に添加する。
【００３５】
超吸水性球状ポリマーと呼ばれることもある超吸水性ポリマーは、水又は粉末の泥を吸収し、多くの実用的な用途を有する結晶である。超吸水性ポリマーは、製品の固化手段としてオムツの製造に使用されている。病院は、それらを使用して生体有害廃棄物を固化し、それを吸引容器に廃棄する。
【００３６】
吸超水性ポリマーは、他の既知の吸収性材料に代わる便利な代替物である。それらは有機吸着剤より多くの重量の液体を吸収し、圧力下で液体を保持し、生分解に抵抗性を持つことが可能である。
【００３７】
上述の超吸水性ポリマーは、自身の重量の２０〜２０００倍（すなわち、吸収ポリマー１グラム当たり２０ｇ〜２０００ｇの水が吸収される）、好ましくは３０〜１５００倍、更に好ましくは５０〜１０００倍の水吸収能を有している。これらの吸水特性は、蒸留水での常温（２５℃）及び常圧（７６０ｍｍＨｇ、すなわち１００，０００Ｐａ）の条件で定義される。
【００３８】
本発明の化粧品の調合のために使用される超吸水性ポリマーは、粒子形態である。好ましくは、超吸水性ポリマーの平均寸法は、乾燥又は水和状態で、１００μｍ以上、好ましくは１５０μｍ以上、例えば１５０〜１０００μｍの範囲、好ましくは１５０〜８５０μｍの範囲である。
【００３９】
平均粒径は、レーザー粒径分析又は当業者に公知の他の同等な方法で測定した加重平均粒径（Ｄ５０）に相当する。
【００４０】
現在、一般的に超吸水性ポリマーは、開始剤の存在下で水酸化ナトリウムと混合したアクリル酸を重合し、ポリアクリル酸のナトリウム塩（ポリアクリル酸ナトリウムと呼ばれることもある）を形成することで製造する。このポリマーは、現在製造されている超吸水性ポリマーの最も一般的なタイプである。
【００４１】
他の材料もまた使用し、とりわけポリアクリルアミド共重合体、エチレン無水マレイン酸共重合体、架橋カルボキシメチルセルロース、ポリビニルアルコール共重合体、架橋ポリエチレンオキシド、及びデンプンポリアクリロニトリルグラフト共重合体などのポリマー超吸水体を製造できる。後者は、開発された超吸水性ポリマーの最も古い一形態である。
【００４２】
好ましくは、本発明で使用される超吸水性ポリマーは、球状粒子の形態である。
【００４３】
本発明で使用される超吸水性ポリマーは、以下から選択される。
【００４４】
・Evonik社のFAVOR PAC230、Zappatec社のPREMIUMSAP、住友精化社のAQUA KEEP SA60S, AQUA KEEP SA60NSX II, AQUA KEEP SA60N TYPE ＩＩ, AQUA KEEP CA300N, AQUA KEEP 10SH, AQUA KEEP 10SH PF, AQUA KEEP CA180N, AQUA KEEP 10SH-NF、San-Dia Polymers社のSanwet770H、BASF社のHysorb, BASF2300, BASF7050, BASF2260, BASF ASAP2000、Kolon Chemical社のKolon GS3400、Dry Tech社のDryTech2035M、Dow Chemical社のDOW S100R、Evonik社のCREALBLOC SIS, CABLOC, FIRESORB eSTOCKOSORB、Song Wong社のHI SWELL、Innospec Performance Chemicals社のActivsoft MS100、The Dow Chemical Company社のAcusol AD-7ポリマー、日本純薬社のAronvins、BASF Personal Care and Nutrition社のCosmedia SP、Sensient Cosmetic Technologies社のCovacryl Ac, Covacryl J22, Covacryl MV60, Covacryl RH、SNF SAS社のFlocare CGEL100, Flocare DP/PSD100, Flocare G300, Flocare G800、大東化成工業社のMakimousse SV12, Makimousse SV25、Ashland社のRapiThix A-100、東亞合成社のRheogic250H, Rheogic270, Rheogic260H、Rheolabs社のRheosol AP、Innospec Performance Chemicals社のRhesperse RM100、Risera Co．社のSanfresh ST-500-MPSA、住友精化社のAQUA KEEP 10SH-NFCといった商品名で販売されている商品などの架橋ポリアクリル酸ナトリウム塩。
【００４５】
・アクリル系ポリマー（ホモポリマー又は共重合体）、特にポリアクリル酸ナトリウムでグラフトしたデンプン。
【００４６】
・アクリル系ポリマー（ホモポリマー又は共重合体）でグラフトした加水分解デンプン、特にLysac社製の商品名Lysorb220として販売されているデンプン、グアーガム及びカルボキシメチルセルロースナトリウムを含む製品などのような、アクリロアクリルアミド／アクリル酸ナトリウム共重合体、デンプン系ポリマー、ゴム及びセルロース誘導体でグラフトした加水分解デンプン。
【００４７】
・上記に収載されたポリマーの混合物。
【００４８】
本発明で使用される超吸水性ポリマーは、架橋しても架橋しなくてもよい。それらは、架橋ポリマーから選択されることが好ましい。
【００４９】
本発明で使用される超吸水性ポリマーは、架橋アクリルホモポリマー又は共重合体であることが好ましく、これは中和し、粒子の形態であることが好ましい。
【００５０】
超吸水性ポリマーは、好ましくは平均寸法（又は平均粒径）が１００ミクロン以上の粒子の形態、より好ましくは球状粒子の形態である架橋ポリアクリル酸ナトリウム類から選択することが好ましい。
【００５１】
これらのポリマーは、８ｇｒ／ｇｒ〜４００ｇｒ／ｇｒの範囲の、自身の重量に対しての水量、すなわち自身の重量の８〜４００倍の重量を吸収することができる。使用するポリマーの割合は、化粧品の総重量に対して最低で０．０１重量％〜最大で２０重量％の範囲であり、使用する処方品の粘度に依存し、処方品の粘度が高い程、使用するポリマーは少ない。化粧品に添加する前に、上述の超吸水性ポリマーは保存していた水（任意の防腐システムを含有する）と水和させる。水の量は処方品に対して最低で３０重量％から最大で７５重量％までの範囲にできる。
【００５２】
水を完全に吸収した後、乳剤が完全に均質化するまで、対象の化粧品処方品を簡単に攪拌しながら添加する。
【００５３】
キャンバス地４２は、化粧品を吸収し、上述の化粧品と直接接触するようになっている。容器１のタンク３には、キャンバス地４２への含浸に合わせた量の化粧品が入るようになっている。キャンバス地４２は、化粧品の液体部分を透過させ、超吸水性ポリマーをろ過させないようになっており、それにより超吸水性ポリマーはタンク３に残る。
【００５４】
化粧品は、キャンバス地４２と接触した後、スポンジ５又は他の手段を使用して肌に塗布することができる。
【００５５】
以下の実施例は、いかなる場合でも、本発明を限定することなく本発明を明確にすることを意図している。
【実施例１】
【００５６】
2017060738.tif 000003
【実施例２】
【００５７】
2017060738.tif 000004
【実施例３】
【００５８】
2017060738.tif 000005
【実施例４】
【００５９】
2017060738.tif 000006
【実施例５】
【００６０】
2017060738.tif 000007
【実施例６】
【００６１】
2017060738.tif 000008
【実施例７】
【００６２】
2017060738.tif 000009
【実施例８】
【００６３】
2017060738.tif 000010
【００６４】
有利にも、超吸水性ポリマー及びキャンバス地の使用でも、携帯容器内に収容された流動性化粧品調合品を扱うことが可能である。
【００６５】
別の利点は、化粧品を容易に塗布できることであり、汚れるリスクの無い塗布を可能にする。
【００６６】
更なる利点は、キャンバス地により、化粧品の流動性部のみが通過し、超吸水性ポリマーはタンク内に保持されるということである。
【００６７】
なおも別の利点は、超吸水性ポリマーが長寿命化粧品処方品の調合を可能にすることである。
【００６８】
付加的な利点は、キャンバス地により廃棄物を出さずに製品の均一な分布が可能になり、製品の正しい塗布が確実になることである。
【符号の説明】
【００６９】
１  容器
２  支持体
３  タンク
４  挿入材
５  スポンジ
４２  キャンバス地
【図１】
2017060738.tif 000011
【図２】
2017060738.tif 000012
【図３】
2017060738.tif 000013
【外国語明細書】
"Container of fluid cosmetic product with superabsorbent polymer".
The present invention relates to a container of fluid cosmetic product with superabsorbent polymer.
Modern life leads people to spend many hours of the day away from home. Work, educational or leisure commitments force increasingly more people to return home only after many hours of absence. The need to bring everything along in order to spend a serene day away from home has stimulated the imagination of many companies that have begun to produce more and more "life-saver" kits to bring along. 
The world of cosmetics is certainly not exempt from these needs. There have been innumerable preparations and pocket compact containers marketed in recent decades. In the past, compact containers of cosmetic products were almost exclusively dedicated to powder products such as blush, powder and the like which allowed the touching up even outside home. For more delicate products, generally fluid preparations, it became very difficult to put them in containers for use outside home.
Several attempts have been made to use liquid cosmetic products in portable containers but to date, this remains an unresolved issue, especially due to the difficulty of managing a liquid product inside a portable container.
EP0528705 describes a spongy element placed inside a container with lid and preferably with flexible synthetic open-cell foam, such as polyurethane. The spongy element is impregnated with a fluid cosmetic product and is topped by a grid consisting of a woven fabric or other porous flexible element held in compressed position on top of the spongy element.
Disadvantageously, using a spongy tissue such as polyurethane, impregnated with a fluid cosmetic composition does not allow an optimal dosage of the cosmetic product to be applied. This may lead to a too abundant application of the product following a non-optimal pressure on the sponge impregnated with the cosmetic fluid.
WO2012/128589 describes a cosmetic product including a polyether-based urethane foam impregnated with a cosmetic composition, in particular in the form of an emulsion. 
WO2009/116817 describes a cosmetic product with a composition adapted to block ultraviolet rays which is impregnated in an expanded polyurethane foam placed inside the container. The polyurethane composition has an expanded cell structure.
Disadvantageously, the cosmetic products described are generally prepared as emulsions and then placed into containers with urethane foams. Emulsions are not stable preparations over time and tend to deteriorate, losing or significantly changing the features of the product initially inserted into the packaging. Moreover, urethane foams do not allow an optimal distribution and dispensing of the cosmetic product.
The object of the present invention is to have a container able to deliver a balanced portion of cosmetic product.
Another object is to have a container for cosmetic products able to maintain the features of the product contained stable over time.
A further object is to have a container for cosmetic products able to allow the use of cosmetic products also outside home and in places with no water.
An additional object is to have a packaging for cosmetic products that allows carrying the cosmetic product without risk of spillage.
Yet another object is to have a container for cosmetic products that allows applying the cosmetic product evenly, without dirtying one's hands.
According to the invention, such objects are achieved by the container described in claim 1. 
These and other features of the present invention will appear more clearly from the following detailed description of the practical embodiments thereof, made by way of a non-limiting example with reference to the accompanying drawings, in which:
Figure 1 shows a perspective view of a container for cosmetic products;
Figure 2 shows a top plan view of the container of cosmetic products;
Figure 3 shows a sectional view of the container for cosmetic products according to the section line III-III in figure 2.
A container 1 comprises a support 2, a tank 3, an insert 4 and a sponge 5.
Support 2 is circular in shape, and comprises a base 21 and a lid 22 attached to said base 21 by means of a hinge 23.
Base 21 of support 2 is provided with a through opening 24, concentric with respect to base 21 and adapted to accommodate tank 3. Lid 22 of support 2 is a cap with a diameter equal to the diameter of base 21. A notch 25 provided in lid 22 is adapted to mate with a hook 26 provided on base 21 of said support 2. Hook 26 and notch 25 are adapted to keep base 21 attached to lid 22. Lid 22 comprises a mirror 221 fixed inside the cap.
Tank 3 has a circular base and has a cover 31 circular in shape and with the same diameter as tank 3 is attached to tank 3 by means of a hinge 34. Cover 31 comprises an edge 312, positioned in an outer portion of the cover, opposite the contact portion with tank 3. Edge 312 is provided with a projection 313, placed in opposite position with respect to the closing hinges 34, adapted to facilitate the lifting of cover 31.
Insert 4 comprises a support ring 41 and a flexible grid consisting of woven fabric, preferably a canvas 42. Said canvas 42 is attached to the support ring 41 by means of glue or by hot welding. Insert 4 is adapted to be inserted in tank 3.
Canvas 42 consists of polyamide, polyester or elastane, or a mixture thereof. Preferably, canvas 42 consists of a mixture containing 50% elastane and 50% polyamide. Preferably, 40% elastane and 60% polyamide. 
Even more preferably, canvas 42 consists of the Thecno Light fabric of the company Nastri-Tex consisting of a mixture of 74% polyamide and 26% elastane, having an absorption capacity ranging from 1 to 100% according to the Test method UNI EN ISO 9073-6:2004. 
Tank 3 is adapted to contain a cosmetic product consisting of a cosmetic formulation and at least one superabsorbent polymer.
The cosmetic formulation used in the present invention is an oil in water (O/W) emulsion or a water in oil (W/O) emulsion or a silicone in water (S/A) emulsion or a water in silicone (A/S) emulsion, or an anhydrous formulation or an aqueous solution or suspension.
The cosmetic formulation contains water in a percentage from 0 to 90% by weight with respect to the cosmetic formulation. Preferably from 0 to 85%.
Said cosmetic formulation may contain non-ionic, anionic, cationic or amphoteric emulsifiers in a percentage comprised between 0 and 20% by weight with respect to the cosmetic formulation. Preferably between 0.1 and 10%. The emulsifiers selected for the present invention have an HLB (hydrophilic-lipophilic balance) comprised between 1 and 20, preferably between 1 and 14.
The cosmetic formulation comprises oils selected from oils of all natures, hydrocarbons, esters, ethers, natural and synthetic triglycerides, silicone oils and polymers and resins. The oil content is comprised between 0.1 and 95% by weight with respect to the cosmetic formulation, preferably between 0.5 and 85%.
Sunscreen filters may be used for the preparation of the cosmetic formulation, such as organic or inorganic sunscreen filters with SPF (sun protection factor) of between 6 and 50+. The sunscreen filter percentage is comprised between 1 and 50% by weight with respect to the cosmetic formulation, preferably between 2 and 40%.
The cosmetic formulation further comprises pigments selected from titanium dioxide and iron oxides, lacquers and cosmetic dyes. The pigment percentage is comprised between 1% and 35% by weight with respect to the cosmetic formulation, preferably between 3 and 25%.
Texturizing powders selected from texturizing powders of silicone, acrylic, polymeric silica, mica and talc nature are added to the cosmetic formulation in a percentage comprised between 1 and 15% by weight with respect to the cosmetic formulation, preferably between 1 and 10%.
Superabsorbent polymers, sometimes referred to as superabsorbent polymer spheres, are crystals that absorb water or powder mud, have many practical applications. Superabsorbent polymers are used in the manufacture of diapers as solidification means of the products. Hospitals use them to consolidate and bio-hazardous waste and dispose of it in suction containers.
Superabsorbent polymers are a convenient alternative to other known absorbent materials. They absorb more liquid, by weight, than organic sorbents, are able to store the liquid under pressure and resist biodegradation.
Said superabsorbent polymers may have a water absorption capacity from 20 to 2000 times their own weight (i.e. 20 g to 2000 g of water absorbed per gram of absorbing polymer), preferably between 30 and 1500 times and even better from 50 to 1000 times. These water absorption characteristics are defined normal temperature conditions (25 °C) and pressure conditions (760 mmHg, i.e. 100,000 Pa) for distilled water.
The superabsorbent polymer used for the preparation of the cosmetic product of the present invention is in the form of particles. Preferably, the superabsorbent polymer has, in the dry or hydrated state, an average size greater than or equal to 100μm, preferably greater than or equal to 150μm, ranging for example from 150 to 1000μm, preferably from 150 to 850μm.
The average particle size corresponds to the weighted average diameter (D50) measured with laser particle size analysis or another equivalent method known by the those skilled in the art.
Superabsorbent polymers are now commonly made by the polymerization of acrylic acid mixed with sodium hydroxide in the presence of an initiator to form a sodium salt of polyacrylic acid (sometimes referred to as sodium polyacrylate). This polymer is the most common type of superabsorbent polymer currently made.
Other materials are also used to make a polymer superabsorbent, such as polyacrylamide copolymer, ethylene maleic anhydride copolymer, cross-linked carboxymethyl cellulose, polyvinyl alcohol copolymers, cross-linked polyethylene oxide, and starch polyacrylonitrile graft copolymer, among others. The latter is one of the oldest forms of superabsorbent polymers created.
Preferably, the superabsorbent polymers used in the present invention are in the form of spherical particles.
The superabsorbent polymers used in the present invention are selected from:
- a cross-linked polyacrylic acid sodium salt, such as those sold under the trade names FAVOR PAC 230 of the company Evonik, PREMIUM SAP of the company Zappatec, AQUA KEEP SA60S, AQUA KEEP SA60NSX II, AQUA KEEP SA60N TYPE II, AQUA KEEP CA300N, AQUA KEEP 10SH, AQUA KEEP 10SH PF, AQUA KEEP CA180N, AQUA KEEP 10SH-NF of the company Sumimoto, Sanwet 770H, of the company San-Dia Polymers, Hysorb, BASF 2300, BASF 7050, BASF 2260, BASF ASAP 2000 of the company BASF, Kolon GS3400 of the company Kolon Chemical, DryTech 2035M of the company Dry Tech, DOW S100R of the company Dow Chemical, CREALBLOC SIS, CABLOC, FIRESORB e STOCKOSORB of the company Evonik, HI SWELL of the company Song Wong, Activsoft MS100 of the company Innospec Performance Chemicals, Acusol AD-7 Polymer of the company The Dow Chemical Company, Aronvins of the company Nihon Junyaku Company, Cosmedia SP of the company BASF Personal Care and Nutrition, Covacryl Ac, Covacryl J22, Covacryl MV60, Covacryl RH of the company Sensient Cosmetic Technologies, Flocare CGEL 100, Flocare DP/PSD 100, Flocare G300, Flocare G800 of the company SNF SAS, Makimousse SV12, Makimousse SV 25 of the company Daito Kasei Kogyo, RapiThix A-100 of the company Ashland, Rheogic 250H, Rheogic 270, Rheogic 260H of the company Toagosei, Rheosol AP of the company Rheolabs, Rhesperse RM100 of the company Innospec Performance Chemicals, Sanfresh ST-500-MPSA of the company Risera Co., AQUA KEEP 10SH-NFC of the company Sumimoto Seika;
- starches grafted with an acrylic polymer (homopolymer or copolymer), in particular with sodium polyacrylate;
- hydrolyzed starches grafted with an acrylic polymer (homopolymer or copolymer), in particular acryloacrylamide/sodium acrylate copolymer, starch-based polymers, rubber and cellulose derivative, such as the product containing starch, guar gum and sodium carboxymethylcellulose, sold under the trade name Lysorb 220 by the company Lysac,
- mixtures of the polymers listed above. 
The superabsorbent polymers used in the present invention can be cross linked or non-cross-linked. They are preferably selected from cross-linked polymers.
The superabsorbent polymers used in the present invention are preferably cross-linked acrylic homopolymers or copolymers which are preferably neutralized, and which are in the form of particles.
Preferably, the superabsorbent polymer is selected from cross-linked sodium polyacrylates, preferably in the form of particles with an average size (or mean diameter) greater than or equal to 100 microns, more preferably in the form of spherical particles.
These polymers are capable of absorbing an amount of water according to their weight ranging from 8 gr/gr to 400 gr/gr, i.e. from 8 to 400 times their weight. The percentage of polymer used ranges from a minimum of 0.01% to a maximum of 20% by weight with respect to the total weight of the cosmetic product and depends on the viscosity of the formula used: the higher the viscosity of the formula, the less polymer is used. Before being added to the cosmetic product, said superabsorbent polymer is hydrated with preserved water (containing any preservative system), the amount of water can range from a minimum of 30% to a maximum of 75% by weight with respect to the formula.
After the complete absorption of water, the cosmetic formulation of interest is added by simple stirring until complete homogenization of the emulsion.
Canvas 42 is adapted to absorb the cosmetic product, being in direct contact with said cosmetic product. Tank 3 of container 1 is adapted to contain an amount of cosmetic product adapted to impregnate canvas 42. Canvas 42 is adapted to transfer the liquid portion of the cosmetic product and not to filter the superabsorbent polymers so that they remain into tank 3.
After a contact with canvas 42, using sponge 5 or another means, the cosmetic product can be applied to the skin.
The following examples are intended to clarify the present invention without limiting it in any way.
Example 1
Diagram of the general formula of cosmetic product with a superabsorbent polymer
2017060738.tif 000014
Example 2
Example of diagram of general formula
2017060738.tif 000015
Example 3
Example of cosmetic product with a superabsorbent polymer
2017060738.tif 000016
Example 4
Example of cosmetic formulation used
2017060738.tif 000017
Example 5
Example of oil-in-water emulsion used as a cosmetic formulation.
2017060738.tif 000018
Example 6
Example of water-in-silicone emulsion used as a cosmetic formulation.
2017060738.tif 000019
2017060738.tif 000020
2017060738.tif 000021
Example 7
Example of silicone-in-water emulsion used as a cosmetic formulation.
2017060738.tif 000022
2017060738.tif 000023
Example 8
2017060738.tif 000024
2017060738.tif 000025
Example of water-in-oil emulsion used as a cosmetic formulation.
Advantageously, the use of the superabsorbent polymers and of the canvas allows also to manage fluid cosmetic preparations contained in portable containers.
Another advantage is the ease of application of the cosmetic product that allows an application without the risk of getting dirty.
A further advantage is that the canvas allows the passage of only the fluid part of the cosmetic product, retaining the superabsorbent polymers in the tank.
Yet another advantage is that the superabsorbent polymers allow the preparation of long-lasting cosmetic formulations.
An additional advantage is that the canvas allows an even distribution of the product, without waste and ensuring a correct application of the product.
1.  Container (1) of cosmetic products, comprising a support (2), a tank (3) and an insert (4) characterized in that said insert (4) comprises a flexible grid formed of woven fabric, preferably a canvas (42), the reservoir (3) contains a cosmetic product having a cosmetic formulation mixed with a superabsorbent polymer, said canvas (42) put in contact with said cosmetic product and suitable for impregnating with said cosmetic product by means of pressure application with a sponge (5).
2.  Container (1) according to claim 1, characterized in that the canvas (42) is constituted by polyamide or polyester or elastane or a mixture of these.
3.  Container (1) according to claims 1 or 2, characterized in that the canvas (42) is constituted by a mixture containing 60% elastane and 40% polyamide.
4.  Container (1) according to claims 1-3, characterized in that the canvas (42) is constituted by a mixture containing 26% elastane and 74% polyamide.
5.  Container (1) according to claims 1, characterized in that the superabsorbent polymer is selected from salts of sodium polyacrylic or a starch grafted with an acrylic polymer (homopolymer or copolymer), or between hydrolyzed starches grafted with a polymer acrylic, in particular acrylate copolymer acrylo-acrylamide/sodium, or between polymers of starch-based rubber and on cellulose derivative, products containing starch, guar gum and sodium carboxymethylcellulose.
6.  Container (1) according to claim 5, characterized in that the superabsorbent polymer is selected from cross-linked sodium polyacrylates, preferably in the form of particles with an average size (or mean diameter) greater than or equal to 100 microns in the dry state or not hydrated.
7.  Container (1) according to claims 5 or 6, characterized in that the superabsorbent polymer is selected from cross-linked sodium polyacrylates, preferably in the form of particles with an average size (or mean diameter) of between 150 and 1000μm in the dry state or not hydrated.
8.  Container (1) according to claims 5-7, characterized in that the superabsorbent polymer is selected from cross-linked sodium polyacrylates, preferably in the form of particles with an average size (or mean diameter) of between 150 and 850μm in the dry state or not hydrated.
9.  Container (1) according to claims 5-8, characterized in that the superabsorbent polymer is selected from cross-linked sodium polyacrylates, preferably in the form of spherical particles.
10.  Container (1) according to any one of the preceding claims, characterized in that the cosmetic formulation is an emulsion oil in water (O/W) or water in oil emulsion (W/O) emulsion of silicone in water (S/A) or an emulsion of water in silicone (A/S), or an anhydrous formulation or aqueous solutions or suspensions.
11.  Container (1) according to any one of the preceding claims, characterized in that the cosmetic formulation contains water in a percentage between 0 and 85%.
12.  Container (1) according to any one of the preceding claims, characterized in that the percentage of superabsorbent polymer used varies from a minimum of 0.01% to a maximum of 20% by weight with respect to the total weight of the cosmetic product.
A container (1) of cosmetic products is described, comprising a support (2), a tank (3), an insert (4) and an application sponge (5). Said insert (4) is provided with a canvas (42) put in contact with a cosmetic product inserted in the tank (3). The cosmetic product comprises a cosmetic formulation combined with superabsorbent polymers (Figure 1).
【図１】
2017060738.tif 000026
【図２】
2017060738.tif 000027
【図３】
2017060738.tif 000028